(57)【特許請求の範囲】
【請求項１】
所定の間隔で立設された複数の支柱と、
この複数の支柱の内、パレット受け入れ側に位置する前側支柱と、
前記複数の支柱の内、前記前側支柱の後方に位置する後側支柱と、
前記前側支柱に直交すると共に、水平方向に延びるように設けられ、パレットを支持
する前側腕木と、
前記後側支柱に直交すると共に、水平方向に延びるように設けられ、前記パレットを
支持する後側腕木と、
前記前側支柱に取り付けられ、前記パレットの前面への移動を前記パレットに当接して阻止するストッパー部を有する本体と、
前記本体に取り付けられ、前記前側腕木及び前記後側腕木を超えて設けられると共に
、前記パレットの側方への移動を前記パレットに当接して阻止する側方ストッパー部とを
備え、
前記側方ストッパー部を前記前側腕木及び前記後側腕木に係脱可能に載置する
ことを特徴とするパレット落下防止用ストッパー体。
【請求項２】
側方ストッパー部の後側腕木を超えた部位に取り付けられ、ストッパー部と対向し、
パレットの背面への移動を前記パレットに当接して阻止する背面ストッパー部とを備えている
ことを特徴とする請求項１記載のパレット落下防止用ストッパー体。
【請求項３】
側方ストッパー部は傾斜面を有し、該傾斜面は下に行くほど前側腕木と後側腕木に支
持されたパレットに近づくように傾斜している
ことを特徴とする請求項１記載のパレット落下防止用ストッパー体。
【発明の詳細な説明】
【技術分野】
【０００１】
本発明は、パレット落下防止用ストッパー体に係り、特に、パレットの前面のみならず、パレットの側方への移動をも阻止することができるパレット落下防止用ストッパー体に関する。
【背景技術】
【０００２】
本件発明者は、先に、パレットの前面への移動を防止することができるパレット落下防止用ストッパー体（例えば、特許文献参照）を開示した。
【先行技術文献】
【特許文献】
【０００３】
特許第４００１２８９号公報
【発明の概要】
【発明が解決しようとする課題】
【０００４】
ところが、パレットは地震により前面（パレット受け入れ側）のみならず、側方へも移動するため、上述のパレット落下防止用ストッパー体では対応できないという問題点があった。
【０００５】
本発明は、上記事情を考慮したなされたパレット落下防止用ストッパー体を提供することを目的とする。
【課題を解決するための手段】
【０００６】
請求項１記載のパレット落下防止用ストッパー体は、所定の間隔で立設された複数の支柱と、この複数の支柱の内、パレット受け入れ側に位置する前側支柱と、前記複数の支柱の内、前記前側支柱の後方に位置する後側支柱と、前記前側支柱に直交すると共に、水平方向に延びるように設けられ、パレットを支持する前側腕木と、前記後側支柱に直交すると共に、水平方向に延びるように設けられ、前記パレットを支持する後側腕木と、前記前側支柱に取り付けられ、前記パレットの前面への移動を前記パレットに当接して阻止するストッパー部を有する本体と、前記本体に取り付けられ、前記前側腕木及び前記後側腕木を超えて設けられると共に、前記パレットの側方への移動を前記パレットに当接して阻止する側方ストッパー部とを備え、前記側方ストッパー部を前記前側腕木及び前記後側腕木に係脱可能に載置するものである。
【０００７】
また、請求項２記載のパレット落下防止用ストッパー体は、請求項１記載のパレット落下防止用ストッパー体において、側方ストッパー部の後側腕木を超えた部位に取り付けられ、ストッパー部と対向し、パレットの背面への移動を前記パレットに当接して阻止する背面ストッパー部とを備えているものである。
【０００８】
また、請求項３記載のパレット落下防止用ストッパー体は、請求項１記載のパレット落下防止用ストッパー体において、側方ストッパー部は傾斜面を有し、該傾斜面は下に行くほど前側腕木と後側腕木に支持されたパレットに近づくように傾斜しているものである。
【発明の効果】
【００１０】
請求項１記載のパレット落下防止用ストッパー体によれば、１個のパレット落下防止用ストッパー体により、パレットの前面への移動を本体のストッパー部により、パレットの側方への移動を本体に取り付けられた側方ストッパー部により、それぞれ阻止することができる。
【００１１】
また、請求項２記載のパレット落下防止用ストッパー体によれば、１個のパレット落下防止用ストッパー体により、パレットの前面への移動を本体のストッパー部により、パレットの側方への移動を本体に取り付けられた側方ストッパー部により、パレットの背面への移動を側方ストッパー部の後側腕木を超えた部位に取り付けられた背面ストッパー部により、それぞれ阻止することができる。
【００１２】
また、請求項３記載のパレット落下防止用ストッパー体によれば、上述した請求項１記載の発明の効果に加え、側方ストッパー部は傾斜面を有し、該傾斜面は下に行くほど前側腕木と後側腕木に支持されたパレットに近づくように傾斜しているため、パレットを降下させて前側腕木と後側腕木に支持させる際、側方ストッパー部の傾斜面にパレットが当たると、パレットは傾斜面に案内されて、前側腕木と後側腕木にスムーズに設置することができる。
【図面の簡単な説明】
【００１４】
【図１】図１は、本発明の一実施例のパレット落下防止用ストッパー体をラック式倉庫（立体自動倉庫）の支柱に取り付けた状態の概略的正面図である。
【図２】図２は、図１の概略的平面図である。
【図３】図３は、図１のパレット落下防止用ストッパー体の概略的斜視図である。
【図４】図４は、図３のパレット落下防止用ストッパー体の一部を分解して示す概略的分解図である。
【図５】図５は、図１の前側支柱、後側支柱、前側腕木、後側腕木の関係を示す概略的平面図である。
【図６】図６は、図１のラック式倉庫（立体自動倉庫）に図３のパレット落下防止用ストッパー体を装着する場合を説明するための概略的説明図である。
【図７】図７は、図６のパレット落下防止用ストッパー体を装着する場合を平面的に見た概略的平面図である。
【図８】図８は、図７の前側支柱に本体を取り付ける前の状態を示す概略的図である。
【図９】図９は、図８の前側支柱に本体を取り付けた状態を示す概略的図である。
【図１０】図１０は、図１のラック式倉庫（立体自動倉庫）にパレットを載置する状態を示す概略的図である。
【図１１】図１１は、図３のパレット落下防止用ストッパー体の側方ストッパー部の傾斜面の作用を説明するための概略的説明図である。
【図１２】図１２は、図１１のパレット落下防止用ストッパー体の側方ストッパー部の傾斜面によりパレットが案内された状態の概略的図である。
【図１３】図１３は、図３のパレット落下防止用ストッパー体のパレットの前後の移動を阻止する状態を示す概略的図である。
【図１４】図１４は、図３のパレット落下防止用ストッパー体のパレットの左右の移動を阻止する状態を示す概略的図である。
【図１５】図１５は、図３のパレット落下防止用ストッパー体と異なる他の実施例のパレット落下防止用ストッパー体の概略的斜視図である。
【図１６】図１６は、図１のラック式倉庫（立体自動倉庫）の支柱に図１５のパレット落下防止用ストッパー体が取り付けられた状態の概略的平面図である。
【図１７】図１７は、図１５のパレット落下防止用ストッパー体と異なる他の実施例のパレット落下防止用ストッパー体の概略的斜視図である。
【図１８】図１８は、図１７のパレット落下防止用ストッパー体を分解して示すパレット落下防止用ストッパー体の概略的分解斜視図である。
【図１９】図１９は、図１のラック式倉庫（立体自動倉庫）の支柱に図１７のパレット落下防止用ストッパー体が取り付けられた状態の概略的斜視図である。
【図２０】図２０は、図１７のパレット落下防止用ストッパー体と異なる他の実施例のパレット落下防止用ストッパー体が支柱に取り付けられた状態を示す概略的平面図である。
【図２１】図２１は、図２０のパレット落下防止用ストッパー体が支柱に取り付けられた状態を示す概略的正面図である。
【発明を実施するための形態】
【００１５】
本発明の一実施例のパレット落下防止用ストッパー体を図面を参照して説明する。  
図１に示すＳはパレット落下防止用ストッパー体で、パレット落下防止用ストッパー体Ｓは、例えば、ラック式倉庫（立体自動倉庫）１００等に使用され、物品１が搭載されたパレット２が地震で、ラック式倉庫（立体自動倉庫）１００等から前面（パレット受け入れ側）Ｆ、側方、背面から飛び出して落下しないようにしたものである。
ラック式倉庫（立体自動倉庫）１００等においては、所定の間隔で立設された複数の支柱３と、この複数の支柱３の内、パレット受け入れ側に位置する前側支柱３’と、複数の支柱３の内、前側支柱３’の後方に位置する後側支柱３”と、前側支柱３’に直交すると共に、水平方向に延びるように設けられ、パレット２を支持する前側腕木４’と、後側支柱３”に直交すると共に、水平方向に延びるように設けられ、パレット２を支持する後側腕木４”とを有している。
なお、前側腕木４’の内、前側支柱３’を介して一方側に第１の前側腕木の部位４’Ａが、前側腕木４’の内、前側支柱３’を介して他方側に第２の前側腕木の部位４’Ｂが、それぞれ位置し、また、後側腕木４”の内、後側支柱３”を介して一方側に第１の後側腕木の部位４”Ａが、後側腕木４”の内、後側支柱３”を介して他方側に第２の後側腕木の部位４”Ｂが、それぞれ位置している。
また、図５に示すＣ’は、第１の前側腕木の部位４’Ａと第１の後側腕木の部位４”Ａとを接続する第１の接続腕木で、図５に示すＣ”は、第２の前側腕木の部位４’Ｂと第２の後側腕木の部位４”Ｂとを接続する第２の接続腕木である。
【００１６】
また、図３に示す１０は本体で、本体１０は、 前側支柱３’に取り付けられ、パレット２の前面（パレット受け入れ側）Ｆへの移動をパレット２に当接して阻止するストッパー部、後述する第１の直線部１２ａ、第２の直線部１２ｂの端部を通す第１、第２の貫通孔１０ａ、１０ｂを有している。
本体１０のストッパー部は、本体１０の上端部を第１の前側腕木の部位４’Ａ、第２の前側腕木の部位４’Ｂ、第１の接続腕木Ｃ’、第２の接続腕木Ｃ”、第１の後側腕木の部位４”Ａ、第２の後側腕木の部位４”Ｂの上面より上方で且つパレット２の底面より上方に位置するようになっている（図１０参照）。
また、本体１０は、図８及び図９に示すように、係止部材１２で前側支柱３’に取り付けられている。係止部材１２は、第１の直線部１２ａと、この第１の直線部１２ａに平行な第２の直線部１２ｂと、この第２の直線部１２ｂと第１の直線部１２ａを接続する接続部１２ｃとを有したもので、例えば、Ｕ字状部材である。
また、図９に示す１３は、係止部材１２を本体１０に結合させる結合手段で、結合手段１３は、図８に示すように、第１の直線部１２ａの先端近傍に設けられた第１の雄ねじ１３ａ、この第１の雄ねじ１３ａに螺合する第１の雌ねじ１３ｂ、第１のワッシャ１３ｃ、第２の直線部１２ｂの先端近傍に設けられた第２の雄ねじ１３ａ’、この第２の雄ねじ１３ａ’に螺合する第２の雌ねじ１３ｂ’、第２のワッシャ１３ｃ’を有している。
そして、図８に示すように、係止部材１２が前側支柱３’を囲むようにし、第１の直線部１２ａの先端を第１の貫通孔１０ａ、第２の直線部１２ｂの先端を第２の貫通孔１０ｂを通し、第１の雄ねじ１３ａに第１の雌ねじ１３ｂを、第２の雄ねじ１３ａ’に第２の雌ねじ１３ｂ’をそれぞれ螺合させ、締め付けて、係止部材１２を本体１０に結合させる（図９参照）。
【００１７】
また、図３に示す１５は、本体１０に取り付けられ、第１の前側腕木４’の部位及び第１の後側腕木４”の部位を超えて設けられると共に、パレット２の側方への移動をパレット２に当接して阻止する第１の側方ストッパー部（側方ストッパー部）で、図３に示す１５’は、本体１０に取り付けられ、第２の前側腕木４’の部位及び第２の後側腕木４”の部位を超えて設けられると共に、パレット２の側方への移動をパレット２に当接して阻止する第２の側方ストッパー部（側方ストッパー部）である。
第１の側方ストッパー部（側方ストッパー部）１５は傾斜面１５Ａを有し、第２の側方ストッパー部（側方ストッパー部）１５’は傾斜面１５’Ａを有し、該傾斜面１５Ａ、１５’Ａは、図１２に示すように、下に行くほど前側腕木４’と後側腕木４”に支持されたパレット２に近づくように傾斜している。
このように傾斜しているため、パレット２を降下させて前側腕木４’と後側腕木４”に支持させる際、第１、第２の側方ストッパー部（側方ストッパー部）１５、１５’の傾斜面１５Ａ、１５’Ａにパレット２が当たると、パレット２は傾斜面１５Ａ、１５’Ａに案内されて（図１１参照）、前側腕木４’と後側腕木４”にスムーズに設置することができるようになっている（図１２参照）。
なお、第１の側方ストッパー部１５の本体１０への取付は、例えば、図４に示すように、第１の側方ストッパー部１５の本体１０に近い側の端部に張出部１５Ｃ、張出部１５Ｃに貫通孔１５Ｄ、本体１０に貫通孔１０ｃ、ボルト２０、ワッシャ２１、ナット２２を設け、ボルト２０の先端を貫通孔１５Ｄ、貫通孔１０ｃ、ワッシャ２１と通すと共に、ボルト２０の先端にナット２２を螺合させ、締め付けて行う。
また、第２の側方ストッパー部１５’の本体１０への取付は、例えば、図４に示すように、第２の側方ストッパー部１５’の本体１０に近い側の端部に張出部１５Ｅ、張出部１５Ｅに貫通孔１５Ｆ、本体１０に貫通孔１０ｄ、ボルト２３、ワッシャ２４、ナット２５を設け、ボルト２３の先端を貫通孔１５Ｆ、貫通孔１０ｄ、ワッシャ２４と通すと共に、ボルト２３の先端にナット２５を螺合させ、締め付けて行う。
【００１８】
また、図３に示す１５Ｂは、第１の側方ストッパー部（側方ストッパー部）１５の下部に第１の後側腕木（後側腕木）４”（具体的には、第１の後側腕木４”の部位４”Ａ）に係脱可能に装着される後側腕木位置決め用の第１の後側腕木位置決め用脚部（後側腕木位置決め用脚部）で、この第１の後側腕木位置決め用脚部（後側腕木位置決め用脚部）１５Ｂは、第１の後側腕木（後側腕木）４”の長手方向に互いに平行な第１の面１５ｂ１と第２の面１５ｂ２を有している。
この第１の面１５ｂ１と第２の面１５ｂ２を有しているため、前面（パレット受け入れ側）から、第１の後側腕木位置決め用脚部（後側腕木位置決め用脚部）１５Ｂの第１の後側腕木（後側腕木）４”の長手方向に互いに平行な第１の面１５ｂ１と第２の面１５ｂ２を利用して、パレット落下防止用ストッパー体Ｓを所定の位置に装着することができる図６参照）。
また、図３に示す１５’Ｂは、第２の側方ストッパー部（側方ストッパー部）１５’の下部に第２の後側腕木（後側腕木）４”（具体的には、第２の後側腕木４”の部位４”Ｂ）に係脱可能に装着される後側腕木位置決め用の第２の後側腕木位置決め用脚部（後側腕木位置決め用脚部）で、この第２の後側腕木位置決め用脚部（後側腕木位置決め用脚部）１５’Ｂは、第２の後側腕木（後側腕木）４”の長手方向に互いに平行な第１の面１５’ｂ１と第２の面１５’ｂ２を有している。
この第１の面１５’ｂ１と第２の面１５’ｂ２を有しているため、前面（パレット受け入れ側）から、第２の後側腕木位置決め用脚部（後側腕木位置決め用脚部）１５’Ｂの第２の後側腕木（後側腕木）４”の長手方向に互いに平行な第１の面１５’ｂ１と第２の面１５’ｂ２を利用して、パレット落下防止用ストッパー体Ｓを所定の位置に装着することができる図６参照）。
【００１９】
また、図３に示す１６は、第１の側方ストッパー部（側方ストッパー部）１５の第１の後側腕木（後側腕木）の部位４”Ａを超えた部位に取り付けられ、ストッパー部１０と対向し、パレット２の背面への移動をパレット２に当接して阻止する第１の背面ストッパー部（背面ストッパー部）である。
また、図３に示す１６’は、第２の側方ストッパー部（側方ストッパー部）１５’の第２の後側腕木（後側腕木）の部位４”Ｂを超えた部位に取り付けられ、ストッパー部１０と対向し、パレット２の背面への移動をパレット２に当接して阻止する第２の背面ストッパー部（背面ストッパー部）である。
【００２０】
従って、上述したパレット落下防止用ストッパー体Ｓによれば、１個のパレット落下防止用ストッパー体Ｓにより、隣接するパレット２の前面への移動を本体１０のストッパー部により、隣接するパレット２の側方への移動を本体１０に取り付けられた第１、第２の側方ストッパー部１５、１５’により、隣接するパレット２の背面への移動を第１、第２の側方ストッパー部１５、１５’の後側腕木４”を超えた部位に取り付けられた第１、第２の背面ストッパー部１６、１６’により、それぞれ阻止することができる。
【００２１】
なお、上述した実施例では、本体１０は、略直線状に形成されていたが、本願発明にあっては、これに限らず、前側支柱３’が前面に向かって突出した場合、本体１０は、平面視、略Ｕ字状に形成されていても良い（図１５及び図１６参照）。
図１５及び図１６に記載のパレット落下防止用ストッパー体Ｓの実施例においては、上述した実施例（図１乃至図１４）記載のものと同一部分に同一符号を付して、その説明を省略する。
【００２２】
また、上述した実施例（図１乃至図１６）では、１個のパレット落下防止用ストッパー体Ｓにより、隣接するパレット２の前面への移動を本体１０のストッパー部により、隣接するパレット２の側方への移動を本体１０に取り付けられた第１、第２の側方ストッパー部１５、１５’により、隣接するパレット２の背面への移動を第１、第２の側方ストッパー部１５、１５’の後側腕木を超えた部位に取り付けられた第１、第２の背面ストッパー部１６、１６’により、それぞれ阻止するようにしたが、本願発明にあっては、これに限らず、第１、第２の背面ストッパー部１６、１６’を省略して（図１７乃至図２１参照）、１個のパレット落下防止用ストッパー体Ｓにより、隣接するパレット２の前面への移動を本体１０のストッパー部により、隣接するパレット２の側方への移動を本体１０に取り付けられた第１、第２の側方ストッパー部１５、１５’により、それぞれ阻止するようにしても良い（図１７乃至図１９参照）。図１７乃至図１９に記載のパレット落下防止用ストッパー体Ｓの実施例においては、上述した実施例（図１乃至図１６）記載のものと同一部分に同一符号を付して、その説明を省略する。
【００２３】
また、上述した実施例（図１乃至図１４）では、本体１０の補強部材Ｈを避けて係止部材１２を取り付けたが、本願発明にあっては、これに限らず、補強部材Ｈに貫通孔Ｈ１、Ｈ１を設けて、係止部材１２を貫通孔Ｈ１、Ｈ１を通すようにしても良い（図２０及び図２１参照）。
【符号の説明】
【００２４】
Ｓ      パレット落下防止用ストッパー体
Ｆ      前面
２      パレット
１０    本体
１５    第１の側方ストッパー部
１５’  第２の側方ストッパー部
１６    第１の背面ストッパー部
１６’  第２の背面ストッパー部
【図１】
0005379920.tif 000002
【図２】
0005379920.tif 000003
【図３】
0005379920.tif 000004
【図４】
0005379920.tif 000005
【図５】
0005379920.tif 000006
【図６】
0005379920.tif 000007
【図７】
0005379920.tif 000008
【図８】
0005379920.tif 000009
【図９】
0005379920.tif 000010
【図１０】
0005379920.tif 000011
【図１１】
0005379920.tif 000012
【図１２】
0005379920.tif 000013
【図１３】
0005379920.tif 000014
【図１４】
0005379920.tif 000015
【図１５】
0005379920.tif 000016
【図１６】
0005379920.tif 000017
【図１７】
0005379920.tif 000018
【図１８】
0005379920.tif 000019
【図１９】
0005379920.tif 000020
【図２０】
0005379920.tif 000021
【図２１】
0005379920.tif 000022